【手続補正書】
【提出日】平成18年5月22日(2006.5.22)
【手続補正１】
【補正対象書類名】明細書
【補正対象項目名】特許請求の範囲
【補正方法】変更
【補正の内容】
【特許請求の範囲】
【請求項１】  主レンズの焦点距離の0.９〜1.５倍まで倍率を有し、振れ補正機構を装備し、写真撮影用主レンズよりリア側に装着され、個体撮像素子用に使用することを特徴とする振れ補正機能付きレンズ。
【請求項２】  前記個体撮像素子は、１インチ以下であることを特徴とする請求項１に記載の振れ補正機能付きレンズ。
【請求項３】  前記振れ補正機能付きレンズの光学系が、入射側（主レンズ側）から、凹レンズ、凸レンズ、凹レンズ、凸レンズ、凸−凹の接合レンズとしたことを特徴とする請求項１に記載の振れ補正機能付きレンズ。
【請求項４】  前記光学系において、最前側凹レンズ１枚のみを電磁式アクチュエーターによって上下左右にシフトさせることを特徴とする請求項３に記載の振れ補正機能付きレンズ。
【請求項５】  前記最前側凹レンズが、２枚構成の樹脂製レンズであることを特徴とする請求項４に記載の振れ補正機能付きレンズ。
【請求項６】  前記光学系において、最前側凹レンズの第１面を平面としたことを特徴とする請求項３に記載の振れ補正機能付きレンズ。
【請求項７】  前記光学系において、入射側第３番目の凹レンズを非球面を有するポリカーボネートレンズとしたことを特徴とする請求項３に記載の振れ補正機能付きレンズ。
【請求項８】  前記光学系において、入射側第３番目の凹レンズを光軸上の厚さを1.８mm以上とし、後面（カメラ側）を非球面としたことを特徴とする請求項３に記載の振れ補正機能付きレンズ。
【請求項９】  前記振れ補正機能付きレンズが、振れ補正用のアクチュエーター及び制御回路用のバッテリーを着脱自在に備えていることを特徴とする請求項１に記載の振れ補正機能付きレンズ。
【請求項１０】  前記振れ補正機能付きレンズが、振れ補正用のアクチュエーター及び制御回路用の外部電源入力端子を備えていることを特徴とする請求項１に記載の振れ補正機能付きレンズ。
【請求項１１】  前記振れ補正機構が、電源を撮影装置本体から供給されるように構成されていることを特徴とする請求項１に記載の振れ補正機能付きレンズ。
【請求項１２】  前記振れ補正機能付きレンズの光学系が、紫外線吸収タイプのレンズを包含していることを特徴とする請求項３に記載の振れ補正機能付きレンズ。
【請求項１３】  前記振れ補正機能付きレンズの光学系が、赤外線吸収タイプのレンズを包含していることを特徴とする請求項３に記載の振れ補正機能付きレンズ。
【請求項１４】  前記振れ補正機構が、振れ補正機能のｏｎ／ｏｆｆスイッチを有することを特徴とする請求項１に記載の振れ補正機能付きレンズ。
【請求項１５】  前記振れ補正機構が、振れ補正用パラメーターを手動で設定する手動パラメーター設定装置を有することを特徴とする請求項１に記載の振れ補正機能付きレンズ。
【請求項１６】  前記振れ補正機構が、主レンズからの情報に基づいて振れ補正機能のパラメーターを演算するために主レンズ及びカメラボデイと通信するインターフェース及びＣＰＵを有することを特徴とする請求項１に記載の振れ補正機能付きレンズ。
【手続補正２】
【補正対象書類名】明細書
【補正対象項目名】０００２
【補正方法】変更
【補正の内容】
【０００２】
【発明の背景】
最近のＡＦ機能付写真撮影用レンズでは、レンズの焦点距離、被写体距離の情報を検出することができるため、このコンバーター内に演算用ＣＰＵを内蔵させることにより、振れ補正機能を内蔵することが可能である。また、最近のディジタルカメラ等にこのコンバーターシステムを内蔵させるようにすれば、カメラモジュール側との通信も行えるため、このような写真撮影用ＡＦレンズを有効に生かすことができる。特に従来のＣＣＴＶ用カメラのようにレンズ側とカメラ側がＣマウント、またはＣＳマウントで接続されているような場合でも、このコンバーターを接続すれば、マニュアル設定で振れ補正が可能である。また、このようなＣマウント、ＣＳマウントの接続において、専用のカメラモジュールすなわち専用ＣＣＴＶ用カメラを使用すれば、ＡＦやズーミング、振れ補正が全てを連動して動作させることが可能である（図１５参照）。
【手続補正３】
【補正対象書類名】明細書
【補正対象項目名】０００５
【補正方法】変更
【補正の内容】
【０００５】
【発明が解決しようとする課題】
従来のコンバーターには以下のような課題があった。上述したように、第１の課題は写真レンズからＣＣＤのような個体撮像素子にほぼ等倍（１倍）で結像させるようなコンバーターが製造されていなかった。これによりユーザーは複数のＣＣＴＶ用レンズ等を選択し、購入する必要があったが、これらの主レンズは一般ユーザーには購入しにくく、また、カメラモジュールに取り付けるには単なるマウント変換アダプターの装着のみに限られる場合が多く、結像エリアの無駄を承知で使用しなければならない状態であった。この問題を解決するために、0.９から1.５倍程度のＣＣＤ面に全有効像円を結像できるコンバーターを写真撮影用主レンズの後部に装着できるようなものが製造されるならば、これら一般的なレンズも電子画像取り込み用として利用可能とすることができる。
【手続補正４】
【補正対象書類名】明細書
【補正対象項目名】０００６
【補正方法】変更
【補正の内容】
【０００６】
第２の課題は、上述した理由により振れ補正機能を装備したこのような等倍（１倍）コンバーターが存在しなかったことである。ユーザー側の立場においては、高解像度な１倍コンバーターが実現され、写真撮影用主レンズが電子画像取り込み用カメラモジュールに装着されるだけでも利用価値が高いが、ここに振れ補正機能を付加させ、主レンズ側に振れ補正機能がなくとも、手振れやその他振動等による画像ブレを防ぐ機能を装備し、利用価値を引き上げることができる。
【手続補正５】
【補正対象書類名】明細書
【補正対象項目名】０００７
【補正方法】変更
【補正の内容】
【０００７】
第３の課題は、光学系が複雑にならず、手振れ補正機能付き１倍コンバーターに最適でふさわしい光学系の開発である。全く新規な構成となるが、口径が大きく、特殊な硝子材料の使用やレンズ枚数を増やすことはコストも高くなり、機構上も複雑になりかねない。なるべくシンプルな形で１倍前後で効率の良い振れ補正を実現することが望ましい。
【手続補正６】
【補正対象書類名】明細書
【補正対象項目名】０００９
【補正方法】変更
【補正の内容】
【０００９】
本発明の実施形態は以下のとおりである。前記個体撮像素子は、１インチ以下であることを特徴とする。前記振れ補正機能付きレンズの光学系が、入射側（主レンズ側）から、凹レンズ、凸レンズ、凹レンズ、凸レンズ、凸−凹の接合レンズとしたことを特徴とする。前記光学系において、最前側凹レンズ１枚のみを電磁式アクチュエーターによって上下左右にシフトさせることを特徴とする。前記最前側凹レンズが、２枚構成の樹脂製レンズであることを特徴とする。前記光学系において、最前側凹レンズの第１面を平面としたことを特徴とする。前記光学系において、入射側第３番目の凹レンズを非球面を有するポリカーボネートレンズとしたことを特徴とする。前記光学系において、入射側第３番目の凹レンズを光軸上の厚さを1.８mm以上とし、後面（カメラ側）を非球面としたことを特徴とする。前記振れ補正機能付きレンズが、振れ補正用のアクチュエーター及び制御回路用のバッテリーを着脱自在に備えていることを特徴とする。前記振れ補正機能付きレンズが、振れ補正用のアクチュエーター及び制御回路用の外部電源入力端子を備えていることを特徴とする。前記振れ補正機構が、電源を撮影装置本体から供給されるように構成されていることを特徴とする。前記振れ補正機能付きレンズの光学系が、紫外線吸収タイプのレンズを包含していることを特徴とする。前記振れ補正機能付きレンズの光学系が、赤外線吸収タイプのレンズを包含していることを特徴とする。前記振れ補正機構が、振れ補正機能のｏｎ／ｏｆｆスイッチを有することを特徴とする。前記振れ補正機構が、振れ補正用パラメーターを手動で設定する手動パラメーター設定装置を有することを特徴とする。前記振れ補正機構が、主レンズからの情報に基づいて振れ補正機能のパラメーターを演算するために主レンズ及びカメラボデイと通信するインターフェース及びＣＰＵを有することを特徴とする。
【手続補正７】
【補正対象書類名】明細書
【補正対象項目名】００１４
【補正方法】変更
【補正の内容】
【００１４】
さらにまた、本発明の光学系は縮小変換系となるため、略等倍のコンバーターが実現でき、しかもレンズ口径も著しく小さくできるため、小型軽量化が可能になる他、特に長焦点距離の写真用主レンズをこのコンバーターに装着すれば、コンバーター内部のシフトレンズ自体も小口径化が図れるため、アクチュエーターにかかる負荷も小さくでき、消費電力も少なくすることが可能となる。
以上述べたように、主レンズの後側に本発明の振れ補正機能付きレンズを装着することにより、主レンズの焦点距離を一定にして、ＣＣＤ面において等倍での画像が得られる。今後は、ディジタルカメラ等の電子画像が写真画像の画質に一層追いついてくることが確実であり、このようなコンバーターが必要となり、しかも振れ補正機能を組み込んでしまえば、手振れの影響もすくなくでき、現在多数の写真撮影用レンズを所有しているＣＣＤカメラのユーザーにとっては、非常に便利なものとなる。
【手続補正８】
【補正対象書類名】明細書
【補正対象項目名】００１５
【補正方法】変更
【補正の内容】
【００１５】
上記実施例を焦点距離２００mm、絞り値約Ｆ２.８の主レンズに組み合わせた時の外形やスポットダイヤグラム等を以下に示す。図４は、シフト無しの時の斜め方向から見たレンズ構成の外形及び光路を示す図であり、図７は＋0.７３mmレンズシフトした時の外形及び光路を示す図であり、図１０は−0.７３mmレンズシフトした時の外形及び光路を示す図である。レンズ系全長が約３０mmとコンパクトな設計となっている。最前側凹レンズ１枚がアクチュエーターにより駆動され、振れ補正されるが、著しく結像性能を落とすこともなく、１倍という倍率を実現しながら、写真レンズのテレコンバーター以上の結像性能を得ている。